(57)【要約】【課題】  切換部が外部機器を接続する外部入力端子側を選択状態においてバックライトでの無駄な電力消費を防止し、且つ視聴者に対しては切換部が外部入力端子側を選択していることを常時告知することのできる液晶テレビ受像機を提供する。【解決手段】  視聴者がリモコン等を利用して外部入力端子側１５を選択した状態で、該外部入力端子側１５から一定時間連続して映像信号の入力がなければ、制御部１２が、バックライト駆動回路１１に制御信号を出力することにより、ＯＳＤ処理部６により表示された文字または図形に対向配置されているバックライト以外のバックライトを消灯する。【選択図】  図３
2006013942.tif 000002
【特許請求の範囲】
【請求項１】
バックライトを有する液晶パネルと、
アンテナの受信信号を入力するチューナと、
外部機器から映像信号を入力する外部入力端子と、
前記受信信号又は外部入力端子からのＡＶ信号を処理するＡＶ信号処理部と、
ＡＶ信号処理部又は外部入力端子のいずれか一方を選択する切換部と、
前記切換部により前記外部入力端子が選択されているときに、映像信号に重畳する文字又は図形を液晶パネルに表示するオンスクリーンディスプレイ処理部と、
前記切換部が前記外部入力端子側を選択している状態において、一定時間継続して前記外部入力端子から映像信号の入力がされなかったとき、前記液晶パネルの前記文字又は図形に対向配置されているバックライト以外のバックライトを消灯する省電力手段と、を備えた液晶テレビ受像機。
【請求項２】
バックライトを有する液晶パネルと、
外部機器からの映像信号を前記液晶パネルに出力するときに、映像信号に重畳する文字又は図形を前記液晶パネルに表示するオンスクリーンディスプレイ処理部と、
前記映像信号に重畳する文字又は図形を、前記オンスクリーンディスプレイ処理部を介して前記液晶パネルに表示している状態で、一定時間継続して前記外部機器から映像信号の入力がされなかったとき、前記液晶パネルの前記文字又は図形に対向配置されているバックライト以外のバックライトを消灯する省電力手段と、を備えた液晶テレビ受像機。
【請求項３】
アンテナの受信信号を入力するチューナと、
外部機器から映像信号を入力する外部入力端子と、
前記受信信号又は外部入力端子からのＡＶ信号を処理するＡＶ信号処理部と、
ＡＶ信号処理部又は外部入力端子のいずれか一方を選択する切換部と、
ＡＶ信号処理部又は外部入力端子のいずれか一方を選択する切換部と、
前記オンスクリーンディスプレイ処理部は、前記切換部により前記外部入力端子が選択
されているときに、映像信号に重畳する文字又は図形を前記液晶パネルに表示する、請求項２記載の液晶テレビ受像機。
【請求項４】
前記省電力手段は、前記文字又は図形を表示する領域の一部に対向して配置された発光体を備え、一定時間継続して前記外部機器から映像信号の入力がされなかったとき前記文字又は図形を表示する領域の一部に対向して配置された発光体以外のバックライトを消灯し、且つ前記発光体を点灯する制御を行う、請求項２または３に記載の液晶テレビ受像機。
【発明の詳細な説明】
【技術分野】
【０００１】
この発明は、省電力機能を有する液晶テレビ受像機に関する。
【背景技術】
【０００２】
液晶テレビ受像機では、画像入力モードを入力チューナとビデオ等の外部機器とのいずれかに切換出来るようになっている。
【０００３】
また、液晶テレビ受像機は、液晶パネルが比較的消費電力の多い放電灯からなるバックライトを備えている。また、切換部がＤＶＤ装置やビデオ装置等の外部機器が接続される外部入力端子側を選択した状態では、無信号状態であっても外部入力端子側を選択していることがわかるように、オンスクリーンディスプレイ（ＯＳＤ）機能により画面の隅に特定の文字又は図形を表示するようにしている。このような液晶テレビ受像機では、切換部が外部機器が接続される外部入力端子側を選択し、外部入力端子から映像信号の入力がされていない状態で、視聴者が電源の切り忘れをしてしまうと、バックライトでの無駄な電力を消費してしまうことになる。
【０００４】
そこで、特許文献１、２のように、予め定めた時刻になると自動的に電源をオフするものが提案されている。
【特許文献１】特開２０００−２６１７３７号公報
【特許文献２】特開平４−１８８９７２号公報
【発明の開示】
【発明が解決しようとする課題】
【０００５】
しかしながら、上記特許文献１、２に示される装置は、タイマを用いて予め定めた時間になったときに電源をオフするものであるため、これを液晶テレビに適用すると、切換部が入力端子側を選択した状態では無信号状態なのか電源オフ状態なのかを直ぐに知ることが出来ない。
【０００６】
この発明の目的は、切換部が外部機器が接続する外部入力端子側を選択した状態においてバックライトでの無駄な電力消費を防止し、且つ視聴者に対しては切換部が外部入力端子側を選択していることを常時告知することのできる液晶テレビ受像機を提供しようとするものである。
【課題を解決するための手段】
【０００７】
この発明の液晶テレビ受像機は、上記課題を解決するために以下の構成を備えている。
【０００８】
（１）バックライトを有する液晶パネルと、
アンテナの受信信号を入力するチューナと、
外部機器から映像信号を入力する外部入力端子と、
前記受信信号又は外部入力端子からのＡＶ信号を処理するＡＶ信号処理部と、
ＡＶ信号処理部又は外部入力端子のいずれか一方を選択する切換部と、
前記切換部により前記外部入力端子が選択されているときに、映像信号に重畳する文字又は図形を液晶パネルに表示するオンスクリーンディスプレイ処理部と、
前記切換部が前記外部入力端子側を選択している状態において、一定時間継続して前記外部入力端子から映像信号の入力がされなかったとき、前記液晶パネルの前記文字又は図形に対向配置されているバックライト以外のバックライトを消灯する省電力手段と、を備えたことを特徴とする。
【０００９】
（２）バックライトを有する液晶パネルと、
外部機器からの映像信号を前記液晶パネルに出力するときに、映像信号に重畳する文字又は図形を前記液晶パネルに表示するオンスクリーンディスプレイ処理部と、
前記映像信号に重畳する文字又は図形を、前記オンスクリーンディスプレイ処理部を介して前記液晶パネルに表示している状態で、一定時間継続して前記外部機器から映像信号の入力がされなかったとき、前記液晶パネルの前記文字又は図形に対向配置されているバックライト以外のバックライトを消灯する省電力手段と、を備えたことを特徴とする。
【００１０】
（３）アンテナの受信信号を入力するチューナと、外部機器から映像信号を入力する外部入力端子と、前記受信信号又は外部入力端子からのＡＶ信号を処理するＡＶ信号処理部と、ＡＶ信号処理部又は外部入力端子のいずれか一方を選択する切換部と、ＡＶ信号処理部又は外部入力端子のいずれか一方を選択する切換部と、前記オンスクリーンディスプレイ処理部は、前記切換部により前記外部入力端子が選択されているときに、映像信号に重畳する文字又は図形を前記液晶パネルに表示することを特徴とする。
【００１１】
上記の構成において、例えば視聴者がリモコン等を利用して外部入力端子側を選択した状態で、一定時間継続して映像信号の入力がなければ、ＯＳＤにより表示された文字または図形以外の部分のバックライトを消灯することができる。これにより、無駄な消費電力を大幅に減らすことができる。また、ＯＳＤにより表示された文字または図形により、液晶テレビ受像機の電源がＯＮになっているかの判断がつき、電源の消し忘れ防止になる。
【００１２】
（４）前記省電力手段は、前記文字又は図形を表示する領域の一部に対向して配置された発光体を備え、一定時間継続して前記外部機器から映像信号の入力がされなかったとき前記文字又は図形を表示する領域の一部に対向して配置された発光体以外のバックライトを消灯し、且つ前記発光体を点灯する制御を行うことを特徴とする。
【００１３】
上記（１）（２）では、一定時間が経過したときにバックライト２の下側２本を消灯させたが、バックライト２とともに、「ビデオ１」の文字または外部機器が選択されていることを表す図形の表示領域に対応する箇所にＬＥＤ等の他の発光体を別途設け、一定時間が経過したときに、放電灯からなるバックライト２を全部消灯し、ＬＥＤ等の他の発光体を消灯させることも可能である。
【発明の効果】
【００１４】
本発明に係る液晶テレビ受像機によれば、切換部が外部入力端子側を選択し、映像信号の入力がされていない状態において、視聴者の消し忘れによる無駄な電力消費を防止し、また、視聴者に対し常にディスプレイの状態を知らせることができる。
【発明を実施するための最良の形態】
【００１５】
図１は本発明に係る液晶テレビ受像機本体の斜視図を示している。
【００１６】
この液晶テレビ受像機１は、ディスプレイ８、放電灯からなるバックライト２を備えている。前記バックライト２は４本設けられている。前記バックライト２は、ディスプレイ８の背面に配置され、前記ディスプレイ８の背面から光を照射する。
【００１７】
本発明の実施形態では、省電力機能が働くと、バックライト２が消灯するが、その際には下側の２本が消灯する。
【００１８】
なお、本実施の形態では、バックライト２を４本設置したが、特に４本に限定するものではない。また、バックライト２には放電灯を用いているが、白色発光ダイオードを用いてもよいし、放電灯と白色発光ダイオードを組み合わせて用いてもよい。
【００１９】
図２は、本発明の実施形態である液晶テレビ受像機１の概略ブロック図である。
【００２０】
この液晶テレビ受像機１は、チューナ４、ＡＶ信号処理部５、ＯＳＤ処理部６、映像信号処理部７、ディスプレイ８、音声信号処理部９、スピーカ１０、バックライト駆動回路１１、制御部１２、図示しないリモコン受光部等を含むスイッチ部１３、ＤＶＤ装置等の外部映像機器が接続される外部入力端子１５を備えている。
【００２１】
図２において、アンテナ３の受信信号はチューナ４に入力され、このときチャンネル（ＣＨ）選局された信号はＡＶ信号処理部５により、受信信号の処理と映像信号、音声信号に対する適切な処理が行われる。映像信号はオンスクリーンディスプレイ（ＯＳＤ）処理部６を介して映像処理部７に入力され、ディスプレイ８に入力される。映像信号処理部７に入力される際、設定されたモードに応じてＯＳＤ処理部６により受信した映像信号に文字または図形が重畳される。音声信号については、音声信号処理部９に入力され、スピーカ１０から出力される。
【００２２】
前記ＡＶ信号処理部５は、上記の映像・音声信号に対する処理を行うとともに、後述するように、外部入力端子１５から一定時間だけ映像信号の入力がないとその旨を制御部１２に知らせる機能を持っている。この判定は、外部入力端子１５からＨＳＹＮＣ（水平同期信号）等が入力されていないとき、その状態が一定時間連続しているかどうかで行う。
【００２３】
ＨＳＹＮＣ（水平同期信号）等が一定時間連続して外部入力端子１５に入力されていなければ、映像信号が一定時間連続して入力されていないものとみなす。
【００２４】
制御部１２には、ＣＨ設定スイッチ、各種ファンクション設定スイッチ、リモコン受光部等を含むスイッチ１３が接続されており、リモコン１４によりこれらの設定も可能になっている。
【００２５】
前記制御部１２は、全体の制御を行う。チューナ４に対しては、視聴者より選局されたＣＨの信号を出力する。ＡＶ信号処理部５に対しては、映像信号、音声信号処理に対する制御信号を出力する。ＯＳＤ処理部６に対しては、ディスプレイ８上で映像に文字または図形を重畳して表示する表示信号を出力する。音声信号処理部９に対しては、音声信号出力レベルの制御信号等を出力する。また、バックライト駆動回路１１に対しては、バックライト２の点灯または消灯するための制御信号を出力し、上記ＡＶ信号処理部５から外部入力端子１５より映像信号が一定時間連続して入力されていない旨の通知を受けたときに、上記ＡＶ信号処理部５から外部入力端子１５より映像信号が一定時間連続して入力されていない旨の通知を受けたときに、同バックライト２の一部（後述するように下側の２本）を消灯するための制御信号を出力する。
【００２６】
次に上記構成からなる液晶テレビ受像機１において、省電力機能の概略の動作について説明する。
【００２７】
図３は、省電力機能が働いているときの液晶テレビ受像機１の画面推移例を示している。
【００２８】
リモコン１４によりビデオモード（外部入力端子側）に切り換えると、モード１となる。
【００２９】
なお、モード１はチューナ４ではなく外部入力端子１５を選択するモードである。このモード１では、映像信号の入力有無にかかわらずＯＳＤ処理部６により、ディスプレイ８の右隅に「ビデオ１」の文字または外部機器が選択されていることを表す図形が表示される。
【００３０】
前記状態において、一定時間（本実施の形態では１５分間）、映像信号が入力されなければ、その通知がＡＶ信号処理部５から制御部１２に対して行われ、モード２に移る。すなわち、設置された４本のバックライト２の内、下側のバックライト２が２本消灯される。図３は、モード１からモード２に遷移した状態を示す。すなわち、モード１において１５分間連続して、外部入力端子１５に映像信号が入力されないと、下側のバックライト２が２本消灯される。外部入力端子１５に映像信号が入力されている状態では、ディスプレイ８上に「ビデオ１」の文字または外部機器が選択されていることを表す図形とともに映像が表示される。このとき、バックライト２は４本とも点灯状態である。
【００３１】
図４は、省電力機能が働いたときの動作を示すフローチャートである。
【００３２】
リモコン１４により、モード切換操作があると（Ｓ１）、そのモードがビデオモード（外部入力端子を選択した）のときに（Ｓ２）、ＯＳＤ処理部６に、ディスプレイ６上へ「ビデオ１」の文字または外部機器が選択されていることを表す図形を表示する表示信号が入力され、ＯＳＤ処理部６により上記文字または図形がディスプレイ８に表示される（Ｓ３）。  ディスプレイ８に上記文字または図形が表示され、水平同期信号の有無を検出する（Ｓ４）。前記水平同期信号を受信している状態では、リモコン操作やスイッチ類の操作がない限り（Ｓ７）Ｓ４によりＨＳＹＮＣの監視を継続し、何らかのリモコン操作があるとＳ１に戻る。このため、ディスプレイ８上には、ＨＳＹＮＣを受信している限り外部入力端子１５から入力される映像が表示されるとともに、画面上隅には「ビデオ１」の文字または外部機器が選択されていることを表す図形が表示されている。
【００３３】
なお、上記映像が表示されている状態においては適当に操作により上記文字や図形を消すことも可能である。
【００３４】
しかし、前記水平同期信号が連続して１５分間検出されなかった場合、制御部１２によりバックライト駆動回路１１へ制御信号が送られ、バックライト２の内、下側２本が消灯する（Ｓ６）。その後、Ｓ１の処理に戻る。
【００３５】
上記の処理により、外部入力端子１５が選択されている状態で、外部機器から映像信号の入力がないと、最大で１５分間、バックライト２の全部が点灯しているが、１５分経過すると、下側の２本のバックライトが消灯する。
【００３６】
したがって、長時間この状態が経過したときに生じる４本のバックライトによる消費電力を半分に減らすことができる。しかも、このとき、上側のバックライト２は点灯状態であるため、画面上隅には「ビデオ１」の文字または外部機器が選択されていることを表す図形が表示されている。このため、視聴者は外部入力端子が選択された状態で電源がオン状態にあることに容易に気づく。
【００３７】
上記の実施形態では、一定時間が経過したときにバックライト２の下側２本を消灯させたが、バックライト２とともに、「ビデオ１」の文字または外部機器が選択されていることを表す図形の表示領域に対応する箇所にＬＥＤ等の他の発光体を別途設け、一定時間が経過したときに、放電灯からなるバックライト２を全部消灯し、ＬＥＤ等の他の発光体を消灯させることも可能である。このように構成すれば、無駄な消費電力をさらに減らすことができる。
【図面の簡単な説明】
【００３８】
【図１】本発明に係る液晶テレビ受像機を示す斜視図
【図２】本発明の実施形態である液晶テレビ受像機の概略ブロック図
【図３】省電力機能が働いているときの液晶テレビ受像機の画面推移例を示す図
【図４】省電力機能が働いたときの動作を示すフローチャート図
【符号の説明】
【００３９】
１−液晶テレビ受像機
２−バックライト
５−ＡＶ信号処理部
６−オンスクリーンディスプレイ（ＯＳＤ）処理部
７−映像信号処理部
８−ディスプレイ
９−音声信号処理部
１１−バックライト駆動回路
１２−制御部
１４−リモコン
【図１】
2006013942.tif 000003
【図２】
2006013942.tif 000004
【図３】
2006013942.tif 000005
【図４】
2006013942.tif 000006